(57)【要約】【課題】生体情報および外見情報を含む健康情報を基にペットの健康状態を標準状態と比較して確実に把握でき的確にペットの健康管理を行えるペット用健康分析装置を得る。【解決手段】ペットの標準の健康状態を蓄積する標準データベース１５、日々のペットの健康情報を蓄積する対象データベース１４、標準データベース１５および対象データベース１４のデータを格納する格納手段、対象データベース１４のデータとしてペットの日々の生体情報３１および外見情報３２を含むペット情報３からなる健康情報を入力する入力手段１１、標準データベース１５のデータと対象データベース１４のデータとの比較・解析手段１２を備え、比較・解析手段１２による処理結果を所定の段階表示で結果通知手段１３によって通知出力する。【選択図】図１
2006318325.tif 000002
【特許請求の範囲】
【請求項１】
ペットの標準の健康状態を蓄積する標準データベース、日々のペットの健康情報を蓄積する対象データベース、前記標準データベースおよび前記対象データベースのデータを格納する格納手段、前記対象データベースのデータとしてペットの日々の生体情報および外見情報を含む健康情報を入力する入力手段、前記標準データベースのデータと前記対象データベースのデータとを比較し解析する解析処理手段を備え、前記解析処理手段による処理結果を所定の段階表示で通知出力することを特徴とするペット用健康分析装置。
【請求項２】
ペットの標準の健康状態を蓄積する標準データベース、日々のペットの健康情報を蓄積する対象データベース、前記標準データベースおよび前記対象データベースのデータを格納する格納手段、前記対象データベースのデータとしてペットの日々の生体情報および外見情報を含む健康情報を入力する入力手段、前記標準データベースのデータと前記対象データベースのデータとを比較し解析する解析処理手段を備え、前記解析処理手段による処理結果を点数表示で通知出力することを特徴とするペット用健康分析装置。
【請求項３】
ペットの標準の健康状態を蓄積する標準データベース、日々のペットの健康情報を蓄積する対象データベース、前記標準データベースおよび前記対象データベースのデータを格納する格納手段、前記対象データベースのデータとしてペットの日々の生体情報および外見情報を含む健康情報を入力する入力手段、前記標準データベースのデータと前記対象データベースのデータとを比較し解析する解析処理手段、前記解析処理手段による処理結果に応じて現在の健康状態から予測される病気を判断する病気予測手段を備え、前記病気予測手段により予測される病気の医療費を算定する医療費算定手段を設けたことを特徴とするペット用健康分析装置。
【発明の詳細な説明】
【技術分野】
【０００１】
この発明は、ペット用健康分析装置、特に、ペット（犬、ネコ等）の日々の生活情報や外見情報を入力し標準の健康指標と比較し、ペットの健康状態を飼い主への飼育アドバイスや飼育情報を提供する装置に関するものである。
【背景技術】
【０００２】
従来のペット用健康管理システムにおいては、ペットの種類と生年月日を登録し、そのペットの情報から飼育のためのスケジュールを作成し、ペットの定期検診、去勢・避妊手術、予防接種などが飼育者へ例示され、また、ペットの運動の量、すなわち、散歩の時間または距離、ペットの症状からペットの病気に対する処置についての提供情報を作成するものがある（例えば、特許文献１参照）。
【０００３】
また、ペットの飼育ガイダンスを提供するものにおいて、サービス提供者との契約時、インターネット接続のためのソフトとペット飼育ガイダンスソフトが入ったＣＤ−ＲＯＭを購入したユーザに対して、インターネットを介してのペット育成サービスがあり、サービス提供者のサイトにアクセスするとその時点のペットのケア項目や、標準育成度との比較、さらに病気に対する対策などが統計的に購入者へ飼育情報が提供される。さらに、現在の育成情報を入力し質問を発するとサービス提供者から直接回答やアドバイスが得られるものがある（例えば、特許文献２参照）。
【０００４】
【特許文献１】特開２００３−１４１２４０号公報
【特許文献２】特開２００１−１３６８５８号公報
【発明の開示】
【発明が解決しようとする課題】
【０００５】
従来のサービスはペットのマニュアル化された飼育アドバイスを飼育者へ提供するのみであり、現在のペットの健康状態を把握することができなかった。
さらに、ペットの症状を入力しその症状に対する処置方法のアドバイスであったため、サービスを受ける時点で既に何らかの病気を発病している可能性があり、病気の処置のための薬剤費、治療費、通院費、手術代などが発生する可能性が高くなる問題があった。
【０００６】
この発明は、上記のような課題を解決するためになされたものであり、生体情報および外見情報を含む健康情報を基にペットの健康状態を標準状態と比較して確実に把握でき的確にペットの健康管理を行えるペット用健康分析装置を得ることを目的とするものである。
【課題を解決するための手段】
【０００７】
この発明に係るペット用健康分析装置は、ペットの標準の健康状態を蓄積する標準データベース、日々のペットの健康情報を蓄積する対象データベース、前記標準データベースおよび前記対象データベースのデータを格納する格納手段、前記対象データベースのデータとしてペットの日々の生体情報および外見情報を含む健康情報を入力する入力手段、前記標準データベースのデータと前記対象データベースのデータとを比較・解析する解析処理手段を備え、前記解析処理手段による処理結果を所定の段階表示で通知出力するようにしたものである。
【発明の効果】
【０００８】
この発明によれば、生体情報および外見情報を含む健康情報を基にペットの健康状態を標準状態と比較して確実に把握でき的確にペットの健康管理を行えるペット用健康分析装置を得ることができる。
【発明を実施するための最良の形態】
【０００９】
実施の形態１．
この発明による実施の形態１を図１から図３までについて説明する。図１は実施の形態１におけるペット用健康分析装置のシステム全体構成を示すブロック図である。図２は実施の形態１におけるペット用健康分析装置の初期設定動作を示すフローチャート図である。図３は実施の形態１におけるペット用健康分析装置の健康度判定動作を示すフローチャート図である。
【００１０】
図１に示されたペット用健康分析装置は、パソコン端末１によって構成されているものであって、飼育者が入力する情報に関し、ペット基本情報２として、ペットの種類２１と、生年月日２２が設定され、ペットの健康状態に係るペット情報３としては、生体情報３１と、外見情報３２とが設定される。
パソコン端末１の内部には、健康情報入力手段１１と、比較・解析手段１２と、結果通知手段１３と、健康情報入力手段１１から入力されたペットの健康情報（生体情報、外見情報）を蓄積する健康情報データベース１４と、ペット別の標準的な健康状態を格納する標準健康状態データベース１５と、入力されたペット情報２を記憶しておくペット基本ファイル１６と、飼育しているペットの標準的な健康情報を記憶する標準健康状態ファイル１７から構成される。
健康情報データベース１４および標準健康状態データベース１５はパソコン端末１に設けられた記憶装置の記憶領域１４ａおよび記憶領域１５ａに格納され、ペット基本ファイル１６および標準健康状態ファイル１７はパソコン端末１に設けられた記憶装置の記憶領域１６ａおよび記憶領域１７ａに格納される。
【００１１】
次に動作について説明する。
図１に示されたペット用健康分析装置では、図２に示すようなフローに基づくペット基本情報に関する初期設定を行う。
まず、ペットの基本情報２となる、ペットの種類２１と生年月日２２を飼育者が入力し（ステップＳ２１）、その情報をペットの基本情報としてペット基本情報ファイル１６に書き込む（ステップＳ２２）。
更に、飼育しているペット独自の標準健康状態の情報を取り込むため、ペット基本情報ファイル１６内のペットの種類と生年月日で、標準健康状態データベース１５から飼育しているペットに対応する標準健康情報を読み込み（ステップＳ２３）、標準健康状態ファイル１７に書き込む（ステップＳ２４）。
【００１２】
図３に示す日々の健康状態を管理するためペット情報３としての生体情報２１は例えば体重、その日食べた餌の量、散歩の距離または時間などと、外見情報２２としての毛艶、抜け毛、鼻の濡れ具合、ウンチ状態・回数等を健康情報入力手段１１によってパソコン端末１に入力し（ステップＳ３１）、健康情報データベース１４に日々のペット情報３が蓄積される（ステップＳ３２）。そして、標準健康状態ファイル１７のデータが読み込まれる（ステップＳ３３）。
ペットの飼育者は、パソコン端末１のメニュー等から、ペットの健康度処理を選択することにより、ペットの健康情報が蓄積されている健康情報データベース１４と標準健康状態ファイル１７の内容とを比較・解析手段１２により比較し解析して（ステップＳ３４）、現在のペットの健康状態を例えば５段階（大変良い、良い、普通、悪い、非常に悪い）に分類し（ステップＳ３５）、結果通知手段１３によって画面表示しペットの飼育者へ通知する（ステップＳ３６）。
【００１３】
この発明による実施の形態１によれば、ペットの標準の健康状態を蓄積する標準健康状態データベース１５からなる標準データベースと、日々のペットの健康情報を蓄積する健康情報データベース１４からなる対象データベースと、前記標準健康状態データベース１５からなる標準データベースおよび前記健康情報データベース１４からなる対象データベースのデータを格納するパソコン端末１に設けられた記憶装置の記憶領域１４ａおよび記憶領域１５ａからなる格納手段と、前記健康情報データベース１４からなる対象データベースのデータとしてペットの日々の生体情報３１および外見情報３２を含むペット情報３からなる健康情報を入力する健康情報入力手段１１からなる入力手段と、前記標準健康状態データベース１５からなる標準データベースのデータと前記健康情報データベース１４からなる対象データベースのデータとを比較し解析する比較・解析手段１１からなる解析処理手段とを備え、前記比較・解析手段１１からなる解析処理手段は、前記比較・解析による処理結果を５段階表示等の所定の段階表示で結果通知手段１３によって通知出力するようにしたので、生体情報および外見情報を含む健康情報を基にペットの健康状態を標準状態と比較して段階表示により確実に把握し的確にペットの健康管理を行えるペット用健康分析装置を得ることができる。
【００１４】
実施の形態２．
この発明による実施の形態２を図４ならびに図５（ａ）および図５（ｂ）について説明する。図４は実施の形態２におけるペット用健康分析装置のシステム全体構成を示すブロック図である。図５（ａ）および図５（ｂ）は実施の形態２におけるペット用健康分析装置の健康度判定動作を示すフローチャート図である。図５（ａ）はフローチャート図の前半部分を示すものであり、図５（ｂ）はフローチャート図の後半部分を示すものである。図５（ａ）のフローと図５（ｂ）のフローとは図５（ａ）のフローチャート図の末尾に示された符号〔１〕部分および図５（ａ）のフローチャート図の先頭に示された符号〔１〕部分を介して互いに接続されるものである。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００１５】
実施の形態１では、ペットの健康分析装置の全体的な動作について述べ、ペットの健康度として５段階評価を行ったが、この実施の形態２では、健康度を点数化する比較・解析手段の構成と動作について詳しく説明する。
【００１６】
図４において、ペットの飼い主がペット情報３としての生体情報３１と外見情報３２を入力し、健康情報入力手段１１により、健康情報データベース１４に格納されることは、実施の形態１で述べたとおりである。
【００１７】
ここで、比較・解析手段１２は、健康度点数化ロジック１２１からなり、ペットの飼育者が入力するペット情報は、健康情報データベース１４の生体情報１４１として、体重、ペットの種類、生年月日、餌の種類、食べた餌の量、散歩の距離または時間が格納され、外見情報１４２として、毛艶、元気度、ウンチの状態（硬い、柔らかい）、ウンチの回数等が格納される。
標準健康状態データベース１５には、ペットの種類別および年齢毎の健康状態の標準値が格納されている。
【００１８】
比較・解析手段１２の健康度点数化ロジック１２１は、健康情報データベース１４の生体情報１４１と外見情報１４２の各情報を標準健康状態データベース１５の標準値と比較し、標準値に対して、現在の健康情報から健康度を点数として解析を行う。
【００１９】
具体的には、図５に示すように、健康情報データベース１４に書込まれた当日のペット情報を読み出す（ステップＳ５０１）。次に、ペット基本情報ファイル１６を読み出し、ペットの種類と生年月日から標準健康状態データベース１５の情報を検索する（ステップＳ５０２）。
体重の点数としては、標準範囲外であれば、点数を０点とし、標準範囲内体重であれば１００点とし、標準範囲内最大値および標準範囲内最小値を５０点と定義し、体重が重い方向の点数としては、標準体重値と標準範囲内最大値を結んだ直線で点数化を行う。同様に体重が軽い方向の点数としては、標準体重値と標準最小値を結んだ直線で点数化を行う（ステップＳ５０３〜Ｓ５０７）。
摂取カロリの点数化は、ペットの種類と年齢と餌の種類、食べた餌の量からその日のペットの摂取カロリを計算し、標準健康状態データベース１５の標準摂取カロリと標準範囲内最大値、最小値の各値から体重の点数化と同様の方法で点数を計算する（ステップＳ５０８〜Ｓ５１２）。
消費カロリの点数化は、ペットの種類と年齢と散歩の距離・時間から消費カロリを計算し、標準健康状態データベース１５の標準消費カロリと標準範囲内最大値、最小値の各値から体重の点数化と同様の方法で点数を計算する（ステップＳ５１３〜Ｓ５１７）。
そして、運動量の点数化についても、同様に点数を計算する（ステップＳ５１８〜Ｓ５２２）。
また、外見情報１４２は、毛艶の点数として例えば、ふさふさしている状態を１００点、抜け毛が見られるを５０点、抜け毛が多いを３０点、脱毛症になっているを０点等に点数化する。
元気度は、機敏に動くを１００点、普通の状態を５０点、反応が遅いを３０点と仮に点数化し、ペットの年齢を加味して、再点数化を行う。
ウンチの状態は、例えば普通を１００点、硬いと柔らかいを５０点とし、回数で割ったものを点数化する。
【００２０】
総合健康度として体重、摂取カロリ、消費カロリ、運動量の各点数の平均値を出すようにする（ステップＳＳ５２３）。
更に、総合健康度として体重、摂取カロリ、消費カロリ、毛艶、元気度の各点数の平均値を出すことも可能である。
【００２１】
以上のように、飼い主はペット情報３の生体情報３１と外見情報３２を入力することにより、体重、摂取カロリ（食べ過ぎ）、消費カロリ（運動不足）、元気度などを１００点満点中の何点の位置に現在ペットがいるのか解ることになり、餌の量の調整や運動量の過不足が直感的に判断でき、ペットのケアが容易になる。
【００２２】
この発明による実施の形態２によれば、ペットの標準の健康状態を蓄積する標準健康状態データベース１５からなる標準データベースと、日々のペットの健康情報を蓄積する健康情報データベース１４からなる対象データベースと、前記標準健康状態データベース１５からなる標準データベースおよび前記健康情報データベース１４からなる対象データベースのデータを格納するパソコン端末１に設けられた記憶装置の記憶領域１４ａおよび記憶領域１５ａからなる格納手段と、前記健康情報データベース１４からなる対象データベースのデータとしてペットの日々の生体情報３１および外見情報３２を含むペット情報３からなる健康情報を入力する健康情報入力手段１１からなる入力手段と、前記標準健康状態データベース１５からなる標準データベースのデータと前記健康情報データベース１４からなる対象データベースのデータとを健康度点数化ロジック１２１によって比較し解析する比較・解析手段１１からなる解析処理手段とを備え、前記比較・解析手段１１からなる解析処理手段は前記健康度点数化ロジック１２１で実行される比較・解析による処理結果を生体情報に係る体重，摂取カロリ，消費カロリおよび外見情報に係る毛艶，元気度等の各処理項目別ならびに総合健康度としての総合評価について、０点から１００点までの点数表示で通知手段１３によって通知出力するようにしたので、生体情報および外見情報を含む健康情報を基にペットの健康状態を標準状態と比較して点数表示により確実に把握し、的確にペットの健康管理を行えるペット用健康分析装置を得ることができる。
【００２３】
実施の形態３．
この発明による実施の形態３を図６および図７について説明する。図６は実施の形態３におけるペット用健康分析装置のシステム全体構成を示すブロック図である。図７は実施の形態３におけるペット用健康分析装置の健康度判定動作を示すフローチャート図である。
この実施の形態３において、ここで説明する特有の構成以外の構成については、先に説明した実施の形態１および実施の形態２における構成と同一の構成内容を具備し、同様の作用を奏するものである。図中、同一符号は同一または相当部分を示す。
【００２４】
実施の形態２では、現在のペットの情報を入力することでペットの健康度を算出し、飼い主に通知したが、この実施の形態３では、さらに比較・解析手段１２としての疾病予測ロジック１２２と医療費予測ロジック１２３についての構成と動作について詳しく説明する。
【００２５】
図６において、ペットの飼い主がペット情報３としての生体情報３１と外見情報３２を入力し、健康情報入力手段１１により、健康情報データベース１４に格納されることは、実施の形態１および実施の形態２で述べたとおりである。
ここで、比較・解析手段１２は、健康度点数化ロジック１２１と病気予測ロジック１２２と、医療費予測ロジック１２３からなり、ペットの飼育者が入力するペット情報は、健康情報データベース１４の生体情報１４１、外見情報１４２として格納される。
【００２６】
実施の形態２では、健康情報データベース１４と標準健康状態データベース１５とを、比較・解析手段１２の健康度点数化ロジック１２１で、ペットの健康状態を点数で表示を行った。
この実施の形態３では、比較・解析手段１２は、健康度点数化ロジック１２１に加えて、現在の健康状態から予測される病気を判断する病気予測ロジック１２２とその病気を処置するための医療費予測ロジック１２３と、ペットの種類・年齢別の疾病テーブル１２３１と、疾病を治療するための医療費テーブル１２３２から構成される。
【００２７】
実施の形態３における動作を図７について説明する。
病気予測ロジック１２２は、過去からの健康情報データベース１５の読み出しトレンドとして健康情報トレンドファイル１８に書き込む（ステップＳ７０１〜Ｓ７０３）。書き込んだ健康情報トレンドファイル１８を読み込み（ステップＳ７０４）、点数を再構成し、体重が増加傾向であると判断した場合（ステップＳ７０５）、ペットの種類・年齢別の疾病テーブル１２３１の肥満症対象の体重と比較し、現在の体重が肥満症にかかる時期を予測し、例えば１年未満に肥満症体重に到達する場合、肥満症を発病すると予測する（ステップＳ７０６〜Ｓ７０８）。
また、外見情報１４２としてのウンチの状態と回数のトレンドから改善傾向に向かっていない場合、消化器系障害と予測する。
同様に、外見情報１４２の毛艶のトレンドでも改善傾向に向かっていない場合は、脱毛症を予測する。
【００２８】
病気予測ロジック１２２では、疾病テーブル１２３１を参照して日々の生体情報１４１と外見情報１４２から、将来発生すると思われる疾病を予想し、さらに、医療費予測ロジック１２３では、病気予測ロジック１２２で出力された疾病を治療するための医療費テーブル１２３２を参照する。
例えば、肥満症が発症すると予測された場合、肥満症を治すための薬剤の種類と量および治癒予想期間から、薬剤費用を算出し、通院で治癒させる場合は１回当たりの通院費用を出力する（ステップＳ７０９，Ｓ７１０）。
また、薬剤、通院では治癒できず手術が必要な疾病に関しては、疾病毎の標準手術費用も出力する。
【００２９】
以上のように、現在のペットの健康状態から疾病予測を行うことで、例えば、肥満症が予想された場合、餌の種類の変更、餌を少量にする、散歩の距離・時間を増やして、運動量を上げるなどの事前に疾病に対する予防が可能となり、医療費の削減が図れることになる。万一、疾病にかかった場合のおおよその医療費が予め解るため、事前準備が可能となる。
【００３０】
この発明による実施の形態３によれば、ペットの標準の健康状態を蓄積する標準健康状態データベース１５からなる標準データベースと、日々のペットの健康情報を蓄積する健康情報データベース１４からなる対象データベースと、前記標準健康状態データベース１５からなる標準データベースおよび前記健康情報データベース１４からなる対象データベースのデータを格納するパソコン端末１に設けられた記憶装置の記憶領域１４ａおよび記憶領域１５ａからなる格納手段と、前記健康情報データベース１４からなる対象データベースのデータとしてペットの日々の生体情報３１および外見情報３２を含むペット情報３からなる健康情報を入力する健康情報入力手段１１からなる入力手段と、前記標準健康状態データベース１５からなる標準データベースのデータと前記健康情報データベース１４からなる対象データベースのデータとを健康度点数化ロジック１２１によって比較し解析する比較・解析手段１１からなる解析処理手段と、前記比較・解析手段１１からなる解析処理手段の処理結果に応じ疾病テーブル１２３１を参照して現在の健康状態から予測される病気を判断する病気予測ロジック１２２からなる病気予測手段とを備え、前記病気予測ロジック１２２からなる病気予測手段により予測される病気の医療費を医療費テーブル１２３２を参照して算定する医療費予測ロジック１２３からなる医療費算定手段を設けたので、生体情報および外見情報を含む健康情報を基にペットの健康状態を標準状態と比較して的確にペットの健康管理を行えるとともに、医療費を予測値として算定できるペット用健康分析装置を得ることができる。
【００３１】
この発明による実施の形態では、次の（１）項から（３）項までに示される構成が提案されている。
（１）ペットの標準の健康状態を蓄積するデータベースと、日々のペットの健康情報を蓄積するデータベースと、そのデータベースを格納する手段と、標準的健康状態を蓄積するパソコン端末で、そのパソコン端末にペットの日々の健康情報、外見情報をキーボードなどにより入力し、標準の健康状態のデータベースと日々の健康情報とを比較・解析する手段と、飼育者へ比較・解析した結果を５段階で健康度を画面に表示することを特徴とするペット用健康分析装置。
（２）上記（１）項において、健康情報（生体情報：体重、餌の量、散歩の距離等  外見情報：毛艶、抜け毛、鼻の濡れ具合、ウンチ状態・回数等）をキーボードなどで入力し、標準の健康状態のデータベースと日々の健康情報とを比較・解析を行い、結果として健康状態を点数で出力するペット用健康分析装置。
（３）ペットの標準の健康状態を蓄積するデータベースと、日々のペットの健康情報を蓄積するデータベースと、ペットの医療費情報を蓄積するデータベースと、そのデータベースを格納するパソコン端末で、そのパソコン端末にペットの日々の健康情報（生体情報：体重、餌の量、散歩の距離等  外見情報：毛艶、抜け毛、鼻の濡れ具合、ウンチ状態・回数等）を入力し、標準の健康状態のデータベースと日々の健康情報とを比較・解析を行い、将来のペットの病気を予測し、医療費（手術、入院費、通院費）を計算するペット用健康分析装置。
【００３２】
この発明の実施の形態では、ペットの健康管理を行う場合、飼い主が使用するパソコン端末内にペットの健康状態を管理できる情報を全て格納し、インターネットを介すことなく健康状態を管理し、ペットが発病する前に発病予測を行い医療費の発生を抑制し、健康で長生きさせようとするものである。
【００３３】
この発明による実施の形態によれば、ペットの標準的な健康状態情報をパソコン端末内に蓄積しているので、収集したペットの生体情報、外見情報からペットの標準的な健康状態情報と比較・解析するために、ネットワークを介することなく、パソコン端末のみで行なうことが可能となる。また、ペットの日々の健康状態を入力し標準的健康状態と比較・解析し、飼い主へ比較・解析結果を通知するように構成したので、日々の健康情報と標準的な健康状態との比較ができ、ペットの健康を維持できるケアが可能となる。
【図面の簡単な説明】
【００３４】
【図１】この発明による実施の形態１におけるペット用健康分析装置のシステム全体構成を示すブロック図である。
【図２】この発明による実施の形態１におけるペット用健康分析装置の初期設定方法を示したフローチャート図である。
【図３】この発明による実施の形態１におけるのペット用健康分析装置の健康度判定動作を示すフローチャート図である。
【図４】この発明による実施の形態２における健康度点数化ロジックの構成を示したブロック図である。
【図５（ａ）】この発明による実施の形態２における健康度点数化ロジックの動作を示すフローチャート図（前半部分）である。
【図５（ｂ）】この発明による実施の形態２における健康度点数化ロジックの動作を示すフローチャート図（後半部分）である。
【図６】この発明による実施の形態３における病気予測ロジックと医療費予測ロジックの構成を示したブロック図である。
【図７】この発明による実施の形態３における病気予測ロジックと医療費予測ロジックの動作を示すフローチャート図である。
【符号の説明】
【００３５】
１  パソコン端末、２  ペット基本情報、３  ペット情報、３１  生体情報、３２  外見情報、１１  健康情報入力手段、１２  比較・解析手段、１３  結果通知手段、１４  対象健康情報データベース、１５  標準健康状態データベース、１６ペット基本ファイル、１７  標準健康状態ファイル。
【図１】
2006318325.tif 000003
【図２】
2006318325.tif 000004
【図３】
2006318325.tif 000005
【図４】
2006318325.tif 000006
【図５（ａ）】
2006318325.tif 000007
【図５（ｂ）】
2006318325.tif 000008
【図６】
2006318325.tif 000009
【図７】
2006318325.tif 000010